(57)【要約】【課題】除鉄除マンガン装置を備える水処理システムにおいて、有機物から生成される副生成物の量を低減でき、かつ、次亜塩素酸塩から生成される塩素酸の量を低減できる水処理システムを提供する。【解決手段】水処理システム１は、原水を供給する給水ライン２１〜２４と、給水ライン２１〜２４上に設置され、給水ライン２１〜２４上を供給される原水に次亜塩素酸塩を添加する薬注装置１３と、薬注装置１３の下流側において給水ライン２１〜２４上に設置され、給水ライン２１〜２４上を供給される原水に含まれる鉄分及びマンガン分のうち少なくとも一方を除去する除鉄除マンガン装置４と、を備える。さらに、薬注装置１３の上流側に、給水ライン２１〜２４上を供給される原水に含まれるアニオン性の有機物を陰イオン交換体で吸着して除去する有機物除去装置８をさらに備える。【選択図】図１
2019103957.tif 000002
【特許請求の範囲】
【請求項１】
原水を供給する給水ラインと、
前記給水ライン上に設置され、前記給水ライン上を供給される原水に次亜塩素酸塩を添加する薬注装置と、
前記薬注装置の下流側において前記給水ライン上に設置され、前記給水ライン上を供給される原水に含まれる鉄分及びマンガン分のうち少なくとも一方を除去する除鉄除マンガン装置と、を備える水処理システムであって、
前記薬注装置の上流側に、前記給水ライン上を供給される原水に含まれるアニオン性の有機物を陰イオン交換体で吸着して除去する有機物除去装置をさらに備える、水処理システム。
【請求項２】
前記除鉄除マンガン装置から下流側の給水ラインに排出される処理水に含まれる残留塩素の濃度に基づいて、前記薬注装置の次亜塩素酸塩の添加量を増減させる薬注制御装置をさらに備える、請求項１に記載の水処理システム。
【請求項３】
前記薬注装置の上流側に、前記給水ライン上を供給される原水に含まれるアンモニア性窒素を除去するアンモニア除去装置をさらに備える、請求項１又は２に記載の水処理システム。
【請求項４】
前記アンモニア除去装置は、前記給水ライン上を供給される原水に含まれるアンモニア性窒素を陽イオン交換体で吸着して除去する、請求項３に記載の水処理システム。
【発明の詳細な説明】
【技術分野】
【０００１】
本発明は、井水などの原水から処理水を生成する水処理システムであって、除鉄除マンガン装置を備える水処理システムに関する。
【背景技術】
【０００２】
従来、井水などの原水から処理水を生成する水処理システムとして、給水ライン上に、原水に含まれる鉄分及びマンガン分を除去する除鉄除マンガン装置を備えた技術が知られている（例えば、特許文献１参照）。特許文献１に記載の技術は、除鉄除マンガン装置の上流側において、原水に含まれる鉄分を不溶性の鉄化合物（酸化水酸化鉄（III）など）に酸化させるために、原水に次亜塩素酸ナトリウムを添加する。そして、不溶性の鉄化合物は、除鉄除マンガン装置のろ材によってろ過することで除去される。また、除鉄除マンガン装置に供給される原水に含まれるマンガン分は、除鉄除マンガン装置のろ材と接触したときに、次亜塩素酸ナトリウムの作用により酸化が進行し、ろ材によって吸着され、除去される。
【先行技術文献】
【特許文献】
【０００３】
【特許文献１】特開２０１１−１７３１０１号公報
【発明の概要】
【発明が解決しようとする課題】
【０００４】
ところで、原水に有機物及びアンモニア性窒素が含まれる場合には、除鉄除マンガン装置の上流側において原水に次亜塩素酸ナトリウムを添加すると、次亜塩素酸ナトリウム（次亜塩素酸塩）の塩素とアンモニア性窒素と有機物とが反応して、副生成物としてのシアン化合物が生成される。シアン化合物は有害物質であるため、生成するシアン化合物の量は低減されることが好ましい。
また、原水に有機物が含まれる場合には、次亜塩素酸ナトリウム（次亜塩素酸塩）の塩素と有機物とが反応して、副生成物としてのトリハロメタンが生成される。トリハロメタンは有害物質であるため、生成するトリハロメタンの量は低減されることが好ましい。
【０００５】
また、原水に含まれる有機物が多い場合には、除鉄除マンガン装置の上流側において原水に次亜塩素酸ナトリウム溶液を添加すると、有機物によって塩素が消費されるため、処理水中の残留塩素が不足する。この場合に、原水に添加される次亜塩素酸ナトリウムの添加量が多くなるように制御されることがあり、次亜塩素酸ナトリウムの添加量が多くなると、次亜塩素酸ナトリウム（次亜塩素酸塩）から生成される塩素酸の量が増加する。塩素酸は有害物質であるため、塩素酸の量は低減されることが好ましい。
【０００６】
このように、副生成物としてのシアン化合物やトリハロメタンの量や、塩素酸の量は低減されることが好ましい。従って、有機物から生成される副生成物の量を低減でき、かつ、次亜塩素酸ナトリウム（次亜塩素酸塩）から生成される塩素酸の量を低減できることが望まれる。
【０００７】
本発明は、このような事情に鑑み、除鉄除マンガン装置を備える水処理システムにおいて、有機物から生成される副生成物の量を低減でき、かつ、次亜塩素酸塩から生成される塩素酸の量を低減できる水処理システムを提供することを目的とする。
【課題を解決するための手段】
【０００８】
本発明は、原水を供給する給水ラインと、前記給水ライン上に設置され、前記給水ライン上を供給される原水に次亜塩素酸塩を添加する薬注装置と、前記薬注装置の下流側において前記給水ライン上に設置され、前記給水ライン上を供給される原水に含まれる鉄分及びマンガン分のうち少なくとも一方を除去する除鉄除マンガン装置と、を備える水処理システムであって、前記薬注装置の上流側に、前記給水ライン上を供給される原水に含まれるアニオン性の有機物を陰イオン交換体で吸着して除去する有機物除去装置をさらに備える、水処理システムに関する。
【０００９】
また、前記除鉄除マンガン装置から下流側の給水ラインに排出される処理水に含まれる残留塩素の濃度に基づいて、前記薬注装置の次亜塩素酸塩の添加量を増減させる薬注制御装置をさらに備えることが好ましい。
【００１０】
また、前記薬注装置の上流側に、前記給水ライン上を供給される原水に含まれるアンモニア性窒素を除去するアンモニア除去装置をさらに備えることが好ましい。
【００１１】
また、前記アンモニア除去装置は、前記給水ライン上を供給される原水に含まれるアンモニア性窒素を陽イオン交換体で吸着して除去することが好ましい。
【発明の効果】
【００１２】
本発明によれば、除鉄除マンガン装置を備える水処理システムにおいて、有機物から生成される副生成物の量を低減でき、かつ、次亜塩素酸塩から生成される塩素酸の量を低減できる水処理システムを提供することができる。
【図面の簡単な説明】
【００１３】
【図１】本発明の一実施形態に係る水処理システムの模式図である。
【図２】陰イオン交換装置におけるイオン交換の作用を示すグラフである。
【発明を実施するための形態】
【００１４】
以下、本発明の一実施形態を図面に基づいて説明する。図１は、本発明の一実施形態に係る水処理システム１の模式図である。図２は、陰イオン交換装置８におけるイオン交換の作用を示すグラフである。なお、本明細書における「ライン」とは、流路、経路、管路などの流体の流通が可能なラインの総称である。
【００１５】
本実施形態に係る水処理システム１は、井水、河川水、工業用水などの原水から処理水を生成するためのものであり、図１に示すように、原水ポンプ２と、アンモニア除去装置６と、有機物除去装置としての陰イオン交換装置８と、再生剤添加装置８１と、除鉄除マンガン装置４と、薬注装置としての酸化剤添加装置１３と、塩素センサ１４と、薬注制御装置としての酸化剤添加制御装置１３１と、を主体に構成されている。
【００１６】
ここで、原水ポンプ２とアンモニア除去装置６との間には、給水ラインとしての第１給水ライン２１が配設されている。アンモニア除去装置６と陰イオン交換装置８との間には、給水ラインとしての第２給水ライン２２が配設されている。陰イオン交換装置８と除鉄除マンガン装置４との間には、給水ラインとしての第３給水ライン２３が配設されている。第３給水ライン２３には、酸化剤添加ライン１３ａを介して酸化剤添加装置１３が接続されている。除鉄除マンガン装置４の下流側には、第４給水ライン２４が配設されている。第４給水ライン２４には、塩素センサ１４が配置されている。
【００１７】
本実施形態の水処理システム１においては、原水を供給する給水ライン２１〜２４上に、上流側から下流側に向かって、原水ポンプ２、アンモニア除去装置６、陰イオン交換装置８、酸化剤添加装置１３、除鉄除マンガン装置４、塩素センサ１４が、この順に設置される。
【００１８】
原水ポンプ２は、原水供給源（図示せず）に接続され、下流側に配置されたアンモニア除去装置６に第１給水ライン２１を介して原水を供給する。原水は、井水、河川水、工業用水などである。
【００１９】
アンモニア除去装置６は、原水ポンプ２の下流側であって酸化剤添加装置１３の上流側に配置される。アンモニア除去装置６は、陽イオン交換体（例えば、陽イオン交換樹脂など）を有し、第１給水ライン２１上を供給される原水に含まれるアンモニア性窒素を吸着して除去する。これにより、アンモニア除去装置６の下流側に供給される原水には、アンモニア性窒素が除去された状態となる。アンモニア除去装置６の下流側においては、アンモニア性窒素が低減されているため、酸化剤添加装置１３により添加される次亜塩素酸ナトリウムの塩素の添加量を低減できる。また、後述する酸化剤添加装置１３により添加される次亜塩素酸ナトリウムの塩素とアンモニア性窒素と有機物とが反応して生成される副生成物としてのシアン化合物の生成量を低減できる。
【００２０】
また、アンモニア除去装置６は、アンモニア性窒素を除去するのと同時に、鉄分及びマンガン分も除去することができる。そのため、アンモニア除去装置６の下流側に配置される除鉄除マンガン装置４で除去する鉄分及びマンガン分の除去量を低減できるため、除鉄除マンガン装置４の負担を軽減することができる。なお、アンモニア除去装置６は、鉄分及びマンガン分も除去できるため、除鉄除マンガン装置４における鉄分及びマンガン分の除去量が変動した場合や、除鉄除マンガン装置４が故障した場合などに、除鉄除マンガン装置４の動作をバックアップすることができる。
【００２１】
陰イオン交換装置８は、アンモニア除去装置６の下流側に配置される。陰イオン交換装置８は、陰イオン交換体（例えば、陰イオン交換樹脂や、層状複水酸化物など）を有し、第２給水ライン２２上を供給される原水に含まれるアニオン性の有機物を吸着して除去する。ここで、腐植物質に代表される天然水中の溶解性有機物は、カルボニル基を多く含むため、アニオン性であることが多い。このため、陰イオン交換装置８によって、原水に含まれる有機物の大半を吸着して除去することができる。陰イオン交換体を備える陰イオン交換装置８により原水を処理した場合の吸光度の変化の一例を図２に示す。図２に示すように、陰イオン交換装置８により原水を処理することで、色度を構成する成分の８０％程度を除去することができている。
【００２２】
また、陰イオン交換体は、適切に選択されることで、再生剤添加装置８１により添加される再生剤（例えば、ＮａＣｌ）により再生でき、再生効率が悪化した場合に、微量のＮａＯＨを添加することで、使用年数を長く（例えば、３〜４年）することができる。また、陰イオン交換体を用いることで、陰イオン交換体に再生剤を供給するだけで陰イオン交換体を再生できるため、例えば活性炭ろ過装置に用いられる活性炭を再生するよりも、再生処理が容易である。これにより、陰イオン交換装置８のメンテナンス作業が容易となる。
【００２３】
陰イオン交換装置８は、図１に示すように、酸化剤添加装置１３よりも上流側に配置され、酸化剤添加装置１３よりも上流側において、原水に含まれる有機物を除去する。陰イオン交換装置８の下流側の原水においては、陰イオン交換装置８により有機物が除去されており、原水に含まれる有機物が低減されている。そのため、陰イオン交換装置８の下流側においては、後述する酸化剤添加装置１３により添加される次亜塩素酸ナトリウムの塩素とアンモニア性窒素と有機物とが反応して生成される副生成物としてのシアン化合物の生成量を低減できる。また、後述する酸化剤添加装置１３により添加される次亜塩素酸ナトリウムの塩素と有機物とが反応して生成される副生成物としてのトリハロメタンの生成量を低減できる。
【００２４】
除鉄除マンガン装置４は、陰イオン交換装置８の下流側に配置される。除鉄除マンガン装置４は、次亜塩素酸塩としての次亜塩素酸ナトリウムを添加する酸化剤添加装置１３の下流側において、第３給水ライン２３上を供給される原水に含まれる鉄分及びマンガン分を除去する。
【００２５】
本実施形態においては、除鉄除マンガン装置４は、原水に含まれる鉄分及びマンガン分を除去し、原水から処理水（鉄分及びマンガン分が除去された原水）を生成する。除鉄除マンガン装置４は、ろ材が充填されたろ過塔を備えている。ろ材には、通常、粒子状のマンガンシャモット、マンガンゼオライト、マンガン砂（二酸化マンガン担持の砂）等が使用される。
【００２６】
除鉄除マンガン装置４に供給される原水に含まれる鉄分は、次亜塩素酸ナトリウムの作用により酸化されて不溶性の鉄化合物（酸化水酸化鉄（III）など）へと変化し、上記ろ材によってろ過される。除鉄除マンガン装置４に供給される原水に含まれるマンガン分は、上記ろ材と接触したときに、次亜塩素酸ナトリウムの作用により酸化が進行し、ろ材によって吸着され、除去される。
【００２７】
除鉄除マンガン装置４の上流側には、原水に含まれる鉄分を不溶性の鉄化合物に変化させるために、除鉄除マンガン装置４に供給される原水に次亜塩素酸塩としての次亜塩素酸ナトリウムを添加する酸化剤添加装置１３が設けられている。
【００２８】
酸化剤添加装置１３は、陰イオン交換装置８の下流側であって除鉄除マンガン装置４の上流側の第３給水ライン２３に、酸化剤添加ライン１３ａを介して配置される。酸化剤添加装置１３は、第３給水ライン２３上を供給される原水に次亜塩素酸塩としての次亜塩素酸ナトリウムを添加する。酸化剤添加装置１３は、酸化剤添加制御装置１３１により制御される。酸化剤添加制御装置１３１は、塩素センサ１４の出力値（残留塩素の濃度）に基づいて、酸化剤添加装置１３における次亜塩素酸ナトリウムの添加量を増減させる。
【００２９】
酸化剤添加制御装置１３１は、塩素センサ１４の出力値（残留塩素の濃度）に基づいて、次亜塩素酸ナトリウムの添加量を増減するように、フィードバック制御する。
具体的には、酸化剤添加制御装置１３１は、塩素センサ１４の出力値（残留塩素の濃度）に基づいて、塩素センサ１４の出力値（残留塩素の濃度）が小さい場合には、塩素が不足しているとして、酸化剤添加装置１３における次亜塩素酸ナトリウムの添加量を増加させる。また、酸化剤添加制御装置１３１は、塩素センサ１４の出力値（残留塩素の濃度）に基づいて、塩素センサ１４の出力値（残留塩素の濃度）が大きい場合には、塩素が過剰であるとして、酸化剤添加装置１３における次亜塩素酸ナトリウムの添加量を減少させる。
【００３０】
次に、本実施形態の水処理システム１の動作について説明する。この水処理システム１において、井水などの原水から処理水を生成する際には、原水ポンプ２を駆動する。
原水ポンプ２を駆動することにより、原水供給源から供給される原水は、第１給水ライン２１を通って、アンモニア除去装置６に供給される。そして、アンモニア除去装置６において、この原水に含まれるアンモニア性窒素が除去される。
【００３１】
次に、アンモニア除去装置６から排出された原水は、第２給水ライン２２を通って、陰イオン交換装置８に供給される。そして、陰イオン交換装置８において、原水に含まれる有機物が取り除かれる。
【００３２】
続けて、陰イオン交換装置８から排出された原水は、第３給水ライン２３を通って、除鉄除マンガン装置４に供給される。第３給水ライン２３の途中で、酸化剤添加装置１３により次亜塩素酸ナトリウムが添加される。酸化剤添加装置１３により次亜塩素酸ナトリウムを添加することで、原水に含まれる鉄分が酸化されて不溶性の鉄化合物となる。
【００３３】
ここで、陰イオン交換装置８により原水から有機物が除去されているため、酸化剤添加装置１３により次亜塩素酸ナトリウムが添加されても、副生成物（シアン化合物やトリハロメタンなど）の生成量を低減することができる。また、アンモニア除去装置６により原水からアンモニア性窒素が除去されているため、酸化剤添加装置１３により添加される次亜塩素酸ナトリウムの塩素の添加量を低減することができると共に、酸化剤添加装置１３により次亜塩素酸ナトリウムが添加されても、副生成物（シアン化合物）の生成量を低減することができる。また、陰イオン交換装置８により原水から有機物が除去されているため、次亜塩素酸ナトリウムの添加量を低減することができ、次亜塩素酸ナトリウムから生成される塩素酸の生成量を低減することができる。
【００３４】
次に、除鉄除マンガン装置４において、アンモニア除去装置６から排出された原水に含まれる鉄分及びマンガン分が除去され、原水から処理水が生成される。除鉄除マンガン装置４で処理された処理水は、第４給水ライン２４を通って処理水タンク（図示せず）に供給され、その処理水タンクに貯留される。
【００３５】
このようにして、処理水が第４給水ライン２４上を供給されるとき、この処理水に含まれる残留塩素の濃度を塩素センサ１４が検出し、その出力値（残留塩素の濃度）に基づいて、酸化剤添加制御装置１３１が酸化剤添加装置１３の次亜塩素酸ナトリウムの添加量を増減させる。このように、次亜塩素酸ナトリウムの添加量をフィードバック制御することにより、原水に含まれる有機物が多い場合又は少ない場合にかかわらず、塩素の過不足を回避することができる。
【００３６】
すなわち、次亜塩素酸ナトリウムの添加量をフィードバック制御しない場合には、有機物の含有量の見込み違いにより、塩素の過不足が生じてしまう恐れがある。これに対して、次亜塩素酸ナトリウムの添加量のフィードバック制御を行うことで、水処理の現場の状況を問わず、塩素の過不足を回避することが可能となる。しかも、こうしたフィードバック制御により、塩素酸の原料物質である次亜塩素酸ナトリウムの添加量を低減することで、塩素酸の生成量を低減でき、塩素酸の水道水基準（例えば、０．６ｐｐｍ以下）を満たすことが可能となる。
【００３７】
上述した本実施形態に係る水処理システム１によれば、例えば、以下のような効果が奏される。
【００３８】
本実施形態に係る水処理システム１は、原水を供給する給水ライン２１〜２４と、給水ライン２１〜２４上に設置され、給水ライン２１〜２４上を供給される原水に次亜塩素酸ナトリウムを添加する酸化剤添加装置１３と、酸化剤添加装置１３の下流側において給水ライン２１〜２４上に設置され、給水ライン２１〜２４上を供給される原水に含まれる鉄分及びマンガン分のうち少なくとも一方を除去する除鉄除マンガン装置４と、を備える。さらに、酸化剤添加装置１３の上流側に、給水ライン２１〜２４上を供給される原水に含まれるアニオン性の有機物を陰イオン交換体で吸着して除去する陰イオン交換装置８をさらに備える。そのため、除鉄除マンガン装置４で原水から処理水を生成する前に、陰イオン交換装置８で原水から有機物を取り除くことができる。その結果、水処理の現場によって原水の水質が変動することで原水に含まれる有機物の量が変動しても、原水に含まれる有機物が多い場合又は少ない場合にかかわらず、有機物由来の副生成物（シアン化合物やトリハロメタンなど）の生成量を低減することができる。また、次亜塩素酸ナトリウムから生成される塩素酸の生成量を低減することができる。また、陰イオン交換装置８において陰イオン交換体を用いることで、陰イオン交換体の再生処理が容易であるため、陰イオン交換装置８のメンテナンス作業が容易となる。
【００３９】
また、本実施形態に係る水処理システム１は、除鉄除マンガン装置４から下流側の給水ライン２４に排出される処理水に含まれる残留塩素の濃度に基づいて、酸化剤添加装置１３の次亜塩素酸ナトリウムの添加量を増減させる酸化剤添加制御装置１３１をさらに備える。これにより、次亜塩素酸ナトリウムの添加量をフィードバック制御することにより、原水に含まれる有機物が多い場合又は少ない場合にかかわらず、塩素の過不足を回避することができる。
【００４０】
また、本実施形態に係る水処理システム１は、酸化剤添加装置１３の上流側に、給水ライン２１〜２４上を供給される原水に含まれるアンモニア性窒素を除去するアンモニア除去装置６をさらに備える。そのため、アンモニア除去装置６により原水からアンモニア性窒素が除去されているため、酸化剤添加装置１３により添加される次亜塩素酸ナトリウムの塩素の添加量を低減することができる。また、原水を除鉄除マンガン処理する前に、原水からアンモニア性窒素を除去することにより、アンモニア性窒素由来の副生成物（シラン化合物など）の生成量を低減することができる。
【００４１】
また、本実施形態に係る水処理システム１においては、アンモニア除去装置６は、給水ライン２１〜２４上を供給される原水に含まれるアンモニア性窒素を陽イオン交換体で吸着して除去する。そのため、原水に含まれるアンモニア性窒素を陽イオン交換体で吸着することにより、アンモニア性窒素を容易に取り除くことができる。また、アンモニア除去装置６において陽イオン交換体を用いることで、陽イオン交換体の再生処理が容易であるため、アンモニア除去装置６のメンテナンス作業が容易となる。
【００４２】
以上、本発明の実施形態について説明したが、本発明は前述した実施形態に限るものではない。また、本実施形態に記載された効果は、本発明から生じる最も好適な効果を列挙したに過ぎず、本発明による効果は、本実施形態に記載されたものに限定されるものではない。
【００４３】
例えば、上述した実施形態では、アンモニア除去装置６は、陰イオン交換装置８の上流側に配置されている。しかし、アンモニア除去装置６と陰イオン交換装置８とは除去の対象が異なることから、アンモニア除去装置６は、酸化剤添加装置１３の上流側に配置されていればよく、例えば、陰イオン交換装置８の下流側であって酸化剤添加装置１３により次亜塩素酸ナトリウムが供給される部分よりも上流側に配置されていてもよい。
【００４４】
また、上述した実施形態では、アンモニア除去装置６は、陽イオン交換体によってアンモニア性窒素を吸着して除去するものとして説明した。しかし、アンモニア性窒素の除去は、原水の性状に応じて、生物処理、ゼオライト等の吸着処理その他の手法により実現してもよい。
【００４５】
また、上述した実施形態の構成の水処理システム１の構成に限定されず、水処理システム１の目的に応じて、上述した水処理システム１を構成する装置以外の装置（例えば、活性炭ろ過装置、軟水器、ＲＯ装置（逆浸透膜ろ過装置）など）を付加しても構わない。
【符号の説明】
【００４６】
１  水処理システム
４  除鉄除マンガン装置
６  アンモニア除去装置
８  陰イオン交換装置（有機物除去装置）
１３  酸化剤添加装置（薬注装置）
２１  第１給水ライン（給水ライン）
２２  第２給水ライン（給水ライン）
２３  第３給水ライン（給水ライン）
２４  第４給水ライン（給水ライン）
１３１  酸化剤添加制御装置（薬注制御装置）
【図１】
2019103957.tif 000003
【図２】
2019103957.tif 000004